(57)【要約】【課題】地域性を考慮に入れて営業戦略を立てる上で有用な情報を分析することを課題とする。【解決手段】客入状況分析装置１０は、受信部１１ａによって受信した自店舗および他店舗ごとの店舗別客入状況を記憶する店舗別客入状況データベース１３ｂと、受信部１１ａによって受信した自店舗および他店舗ごとの機種別客入状況を記憶する機種別客入状況データベース１４ｂと、店舗別客入状況データベース１３ｂまたは機種別客入状況データベース１４ｂに基づいて所定の地域における自店舗および他店舗の客入状況を集計する客入状況集計部１５と、客入状況集計部１５によって集計された自店舗および他店舗の客入状況に基づいて自店舗の客入状況を分析する客入状況分析部１６とを備える。【選択図】      図２
2004290326.tif 000002
【特許請求の範囲】
【請求項１】
遊技店の客入状況を受信し、該受信した客入状況に基づいて前記遊技店の客入状況を分析する客入状況分析装置であって、
各遊技店ごとの客入状況を受信し、該受信した客入状況に基づいて所定の地域における複数の遊技店の客入状況を集計する客入状況集計手段と、
前記客入状況集計手段によって集計された前記複数の遊技店の客入状況に対する前記各遊技店ごとの客入状況の割合を分析する客入状況分析手段と、
を備えたことを特徴とする客入状況分析装置。
【請求項２】
前記客入状況集計手段は、前記各遊技店における遊技台の台数に応じて重み付けをおこなって前記複数の遊技店の客入状況を集計するものであって、
前記客入状況分析手段は、前記各遊技店における遊技台の台数に応じて客入状況の割合を分析することを特徴とする請求項１に記載の客入状況分析装置。
【請求項３】
前記各遊技店ごとの客入状況は、所定時間ごとに区分けされた客入状況であって、
前記客入状況集計手段は、前記所定時間ごとに前記複数の遊技店の客入状況を集計し、
前記客入状況分析手段は、前記所定時間ごとに前記各遊技店ごとの客入状況の割合を分析することを特徴とする請求項１または２に記載の客入状況分析装置。
【請求項４】
前記各遊技店ごとの客入状況は、前記各遊技店における遊技台の機種ごとの客入状況であって、
前記客入状況集計手段は、前記遊技台の機種ごとに客入状況を集計し、
前記客入状況分析手段は、前記遊技台の機種ごとに前記各遊技店における遊技台の機種ごとの客入状況の割合を分析することを特徴とする請求項１〜３のいずれか一つに記載の客入状況分析装置。
【請求項５】
前記各遊技店ごとの客入状況は、自店舗および他店舗ごとの客入状況であって、
前記客入状況集計手段は、前記自店舗および他店舗の客入状況を集計し、
前記客入状況集計手段によって集計された前記自店舗および他店舗の客入状況に対する前記自店舗の客入状況の割合を分析することを特徴とする請求項１〜４のいずれか一つに記載の客入状況分析装置。
【請求項６】
前記所定の地域における領域の設定の入力を受け付ける入力受付手段をさらに備え、
前記客入状況集計手段は、前記入力受付手段によって入力された領域に含まれる複数の遊技店の客入状況を集計し、
前記客入状況分析手段は、前記客入状況集計手段によって集計された前記複数の遊技店の客入状況に対する前記入力受付手段によって入力された領域に含まれる前記各遊技店ごとの客入状況の割合を分析することを特徴とする請求項１〜５のいずれか一つに記載の客入状況分析装置。
【請求項７】
遊技店の客入状況を受信し、該受信した客入状況に基づいて前記遊技店の客入状況を分析する客入状況分析方法であって、
各遊技店ごとの客入状況を受信し、該受信した客入状況に基づいて所定の地域における複数の遊技店の客入状況を集計する客入状況集計工程と、
前記客入状況集計工程によって集計された前記複数の遊技店の客入状況に対する前記各遊技店ごとの客入状況の割合を分析する客入状況分析工程と、
を含んだことを特徴とする客入状況分析方法。
【請求項８】
遊技店の客入状況を受信し、該受信した客入状況に基づいて前記遊技店の客入状況を分析する方法をコンピュータに実行させる客入状況分析プログラムであって、
各遊技店ごとの客入状況を受信し、該受信した客入状況に基づいて所定の地域における複数の遊技店の客入状況を集計する客入状況集計工程と、
前記客入状況集計工程によって集計された前記複数の遊技店の客入状況に対する前記各遊技店ごとの客入状況の割合を分析する客入状況分析工程と、
をコンピュータに実行させることを特徴とする客入状況分析プログラム。
【発明の詳細な説明】
【０００１】
【発明の属する技術分野】
この発明は、遊技店の客入状況を受信し、該受信した客入状況に基づいて遊技店の客入状況を分析する客入状況分析装置、客入状況分析方法および客入状況分析プログラムに関し、特に、営業戦略を立てる上で有用な情報を分析することができる客入状況分析装置、客入状況分析方法および客入状況分析プログラムに関する。
【０００２】
【従来の技術】
従来より、遊技店の経営者が営業戦略を立てる上で不可欠である遊技店の客入状況を分析するための装置として、インターネットなどのネットワークを介して遊技店の端末装置（コンピュータ、携帯電話またはＰＤＡ）から遊技店の客入状況を受信し、該受信した遊技店の客入状況を分析する客入状況分析装置が知られている（例えば、特許文献１参照。）。
【０００３】
ここで、かかる「分析」とは、遊技店における遊技台の稼働率の分析であり、例えば、Ａ店、Ｂ店およびＣ店という遊技店が存在すると想定した場合に、Ａ店の稼働率、Ｂ店の稼働率またはＣ店の稼働率というように個々の稼働率を分析したり、Ａ店、Ｂ店およびＣ店の平均の稼働率を分析したりしていた。
【０００４】
【特許文献１】
特開２００２−２６３３３１号公報（第７−９頁、第９−１０図）
【０００５】
【発明が解決しようとする課題】
しかしながら、上記の従来技術は、遊技店における遊技台の個々の稼動率または全体の稼働率の分析しかおこなっていないので、営業戦略を立てる上で有用な情報を分析することができない。
【０００６】
具体的に説明すると、Ａ店の稼働率が７０％であると分析されたとしても、Ａ店がにぎやかな繁華街にある場合と静かな郊外にある場合とでは７０％の意味合いが大きく違ってくる。つまり、繁華街における遊技店全体の平均稼働率が９０％である中で７０％の稼働率しかないのと、郊外における遊技店全体の平均稼働率が５０％である中で７０％もの稼働率をほこるのとでは今後の営業戦略が大きく違ってくる。
【０００７】
このように、上記の従来技術によって個々の稼働率が分析できたとしても、該稼働率は遊技店を取り巻く環境を考慮に入れて分析されていないので、営業戦略を立てる上で有用な情報を分析することができない。
【０００８】
さらに、上記の従来技術は、遊技店ごとの遊技台の設置台数の相違、あるいは各遊技店における遊技機種ごとの設置台数の相違などを考慮した分析ができないという問題点があった。すなわち、遊技店の規模の大小により遊技台の設置台数が相違し、また、遊技店の営業戦略により遊技機種ごとに設置台数に差を持たせていたりするが、上記従来技術においてはこれらのことを考慮した分析をおこなうことはできない。
【０００９】
そこで、この発明は、上述した従来技術による問題点を解消するためになされたものであり、営業戦略を立てる上で有用な情報を分析することができる客入状況分析装置、客入状況分析方法および客入状況分析プログラムを提供することを目的とする。
【００１０】
【課題を解決するための手段】
上述した課題を解決し、目的を達成するため、本発明は、遊技店の客入状況を受信し、該受信した客入状況に基づいて前記遊技店の客入状況を分析する客入状況分析装置であって、各遊技店ごとの客入状況を受信し、該受信した客入状況に基づいて所定の地域における複数の遊技店の客入状況を集計する客入状況集計手段と、前記客入状況集計手段によって集計された前記複数の遊技店の客入状況に対する前記各遊技店ごとの客入状況の割合を分析する客入状況分析手段と、を備えたことを特徴とする。
【００１１】
したがって、本発明によれば、各遊技店ごとの客入状況を受信し、該受信した客入状況に基づいて所定の地域における複数の遊技店の客入状況を集計し、集計された複数の遊技店の客入状況に対する各遊技店ごとの客入状況の割合を分析することとしたので、地域性を考慮に入れて客入状況を分析することができ、営業戦略を立てる上で有用な情報を分析することが可能になる。
【００１２】
また、本発明では、前記客入状況集計手段は、前記各遊技店における遊技台の台数に応じて重み付けをおこなって前記複数の遊技店の客入状況を集計するものであって、前記客入状況分析手段は、前記各遊技店における遊技台の台数に応じて客入状況の割合を分析することを特徴とする。
【００１３】
したがって、本発明によれば、各遊技店における遊技台の台数に応じて重み付けをおこなって複数の遊技店の客入状況を集計し、各遊技店における遊技台の台数に応じて客入状況の割合を分析することとしたので、遊技店に設置された遊技台の設置台数の相違に関係なく各遊技店ごとの客入状況の割合を分析することができ、遊技店の規模の相違あるいは遊技店の営業戦略の相違を考慮した分析を行うことが可能になる。
【００１４】
また、本発明では、前記各遊技店ごとの客入状況は、所定時間ごとに区分けされた客入状況であって、前記客入状況集計手段は、前記所定時間ごとに前記複数の遊技店の客入状況を集計し、前記客入状況分析手段は、前記所定時間ごとに前記各遊技店ごとの客入状況の割合を分析することを特徴とする。
【００１５】
したがって、本発明によれば、各遊技店ごとの客入状況は、所定時間ごとに区分けされた客入状況であって、所定時間ごとに複数の遊技店の客入状況を集計し、所定時間ごとに各遊技店ごとの客入状況の割合を分析することとしたので、日または時間帯ごとにおける客入状況の割合の推移を分析することが可能になる。
【００１６】
また、本発明では、前記各遊技店ごとの客入状況は、前記各遊技店における遊技台の機種ごとの客入状況であって、前記客入状況集計手段は、前記遊技台の機種ごとに客入状況を集計し、前記客入状況分析手段は、前記遊技台の機種ごとに前記各遊技店における遊技台の機種ごとの客入状況の割合を分析することを特徴とする。
【００１７】
したがって、本発明によれば、各遊技店ごとの客入状況は、各遊技店における遊技台の機種ごとの客入状況であって、遊技台の機種ごとに客入状況を集計し、遊技台の機種ごとに各遊技店における遊技台の機種ごとの客入状況の割合を分析することとしたので、各遊技店における遊技台の機種ごとの人気を分析することが可能になる。
【００１８】
また、本発明では、前記各遊技店ごとの客入状況は、自店舗および他店舗ごとの客入状況であって、前記客入状況集計手段は、前記自店舗および他店舗の客入状況を集計し、前記客入状況集計手段によって集計された前記自店舗および他店舗の客入状況に対する前記自店舗の客入状況の割合を分析することを特徴とする。
【００１９】
したがって、本発明によれば、各遊技店ごとの客入状況は、自店舗および他店舗ごとの客入状況であって、自店舗および他店舗の客入状況を集計し、集計された自店舗および他店舗の客入状況に対する自店舗の客入状況の割合を分析することとしたので、自店舗を取り巻く競合店の客入状況を考慮に入れて自店舗の客入状況を全体的に分析することができ、自店舗の客入状況を評価する上で有用な情報を分析することが可能になる。
【００２０】
また、本発明では、前記所定の地域における領域の設定の入力を受け付ける入力受付手段をさらに備え、前記客入状況集計手段は、前記入力受付手段によって入力された領域に含まれる複数の遊技店の客入状況を集計し、前記客入状況分析手段は、前記客入状況集計手段によって集計された前記複数の遊技店の客入状況に対する前記入力受付手段によって入力された領域に含まれる前記各遊技店ごとの客入状況の割合を分析することを特徴とする。
【００２１】
したがって、本発明によれば、所定の地域における領域の設定の入力を受け付け、入力された領域に含まれる複数の遊技店の客入状況を集計し、集計された複数の遊技店の客入状況に対する入力された領域に含まれる各遊技店ごとの客入状況の割合を分析することとしたので、遊技店のオーナーまたは経営者などの遊技店の経営に携わる者が望む任意の領域の客入状況を分析することが可能になる。
【００２２】
【発明の実施の形態】
以下に添付図面を参照して、この発明に係る客入状況分析装置、客入状況分析方法および客入状況分析プログラムの好適な実施の形態を詳細に説明する。なお、以下では、本実施の形態に係る客入状況分析装置の概要および特徴を説明した後に、この客入状況分析装置の構成を説明し、最後に、他の実施の形態として種々の変形例を説明することとする。
【００２３】
（客入状況分析装置の概要および特徴）
まず最初に、本実施の形態に係る客入状況分析装置の概要および特徴を説明する。図１は、本実施の形態に係る客入状況分析装置１０を含んだシステムの構成を示すシステム構成図である。
【００２４】
このシステムは、同図に示すように、客入状況分析装置１０を中心にして、各遊技店（自店舗、他店舗Ａ、他店舗Ｂおよび他店舗Ｃ）の客入状況を送信する端末装置２０と、端末装置３０と、端末装置４０とを、公衆電話網やインターネットなどのネットワーク１を介して相互に通信可能に接続して構成される。なお、端末装置２０、端末装置３０および端末装置４０は、既知のパーソナルコンピュータ、ワークステーション、ＰＨＳ端末、携帯端末、移動体通信端末またはＰＤＡなどの情報処理装置である。
【００２５】
このシステムにおいて、客入状況分析装置１０は、基本的に、端末装置２０、端末装置３０および端末装置４０から遊技店の客入状況を受信し、該受信した客入状況に基づいて遊技店の客入状況を分析するものである。
【００２６】
ここで、この客入状況分析装置１０は、各遊技店ごとの客入状況を受信し、該受信した客入状況に基づいて所定の地域における複数の遊技店の客入状況を集計し、該集計された複数の遊技店の客入状況に対する各遊技店ごとの客入状況の割合を分析する客入状況の集計処理および分析処理に主たる特徴があり、かかる客入状況の集計処理および分析処理によって、営業戦略を立てる上で有用な情報を分析することができるようにしている。
【００２７】
この主たる特徴を具体的に説明すると、この客入状況分析装置１０は、各遊技店ごとの客入状況を受信し、該受信した客入状況に基づいて所定の地域における複数の遊技店の客入状況を集計する。具体的には、端末装置２０、端末装置３０および端末装置４０から客入状況を受信し（端末装置２０から自店舗の客入状況および自店舗の調査員によって調査された他店舗Ａ、他店舗Ｂおよび他店舗Ｃの客入状況を受信、また、端末装置３０および端末装置４０についても同様に自店舗および他店舗の客入状況を受信）、該受信した客入状況に基づいて自店舗および他店舗の客入状況を集計する。
【００２８】
続いて、客入状況分析装置１０は、集計された複数の遊技店の客入状況に対する各遊技店ごとの客入状況の割合を分析する。つまり、自店舗を取り巻く環境（例えば、端末装置２０について営業戦略を検討したい場合、他店舗Ａ、他店舗Ｂおよび他店舗Ｃの客入状況）を考慮に入れて自店舗の客入状況を全体的に分析する（図５〜１０参照）。
【００２９】
したがって、上記した従来技術の例で言えば、個々の遊技店の客入状況を分析するのではなく、地域性（例えば、端末装置２０について営業戦略を検討したい場合、他店舗Ａ、他店舗Ｂおよび他店舗Ｃの客入状況）を考慮に入れて客入状況を分析するので、上記した主たる特徴のように、営業戦略を立てる上で有用な情報を分析することが可能になる。
【００３０】
また、本実施の形態に係る客入状況分析装置は、上記の主たる特徴に関連して以下に列挙するような特徴も付加的に有するものである。つまり、本実施の形態では、各遊技店における遊技台の台数に応じて重み付けをおこなって複数の遊技店の客入状況を集計し、各遊技店における遊技台の台数に応じて客入状況の割合を分析する。すなわち、これによって、遊技店に設置された遊技台の設置台数の相違に関係なく各遊技店ごとの客入状況の割合を分析することができ、遊技店の規模の相違あるいは遊技店の営業戦略の相違を考慮した分析を行うことが可能になる。
【００３１】
（客入状況分析装置の構成）
次に、本実施の形態に係る客入状況分析装置の構成を説明する。図２は、本実施の形態に係る客入状況分析装置の構成を示すブロック図である。同図に示すように、この客入状況分析装置１０は、受信部１１ａと、送信部１１ｂと、入力部１２ａと、出力部１２ｂと、店舗別客入状況登録部１３ａと、店舗別客入状況データベース１３ｂと、機種別客入状況登録部１４ａと、機種別客入状況データベース１４ｂと、客入状況集計部１５と、客入状況分析部１６と、制御部１７とを備える。
【００３２】
このうち、受信部１１ａは、端末装置２０、端末装置３０および端末装置４０から各遊技店ごとの客入状況を受信する処理部である。具体的には、端末装置２０から自店舗の客入状況および自店舗の調査員によって調査された他店舗Ａ、他店舗Ｂおよび他店舗Ｃの客入状況を受信し、また、端末装置３０および端末装置４０からも自店舗および他店舗の客入状況を同様に受信する。なお、本実施の形態では、客入状況として店舗別客入状況および機種別客入状況を受信する（図３および図４参照）。
【００３３】
送信部１１ｂは、客入状況集計部１５および客入状況分析部１６によって集計および分析された閲覧情報を端末装置２０、端末装置３０および端末装置４０に送信する処理部である。つまり、遊技店のオーナーまたは経営者などの遊技店の経営に携わる者が遊技店の本店などの管理機構側に設置された客入状況分析装置１０からだけではなく、自店舗に備える端末装置２０、端末装置３０および端末装置４０から自由に閲覧することを可能にするために送信される。
【００３４】
入力部１２ａは、各種の情報を入力するキーボード、マウスおよびトラックボールなどの指示入力手段であり、主に、遊技店のオーナーまたは経営者などの遊技店の経営に携わる者から閲覧情報の選択を受け付ける。具体的には、店舗別客入割合、店舗別客入比較、店舗別客入推移、機種別客入割合、機種別客入比較および機種別客入推移など閲覧情報（図５〜１０参照）の選択を受け付け、さらに、入力された閲覧情報において遊技店の経営に携わる者が閲覧したい客入状況の領域（エリアＶ〜エリアＺ）および期間（日付および／または時間帯）の指定を受け付ける。なお、以下では、エリアＸが領域指定された場合についての各処理部の構成について説明する。
【００３５】
出力部１２ｂは、各種の情報を出力するモニタなどの出力表示手段であり、具体的には、客入状況集計部１５および客入状況分析部１６によって集計および分析された閲覧情報（図５〜１０参照）を出力する。
【００３６】
店舗別客入状況登録部１３ａは、受信部１１ａによって受信した自店舗および他店舗ごとの店舗別客入状況を店舗別客入状況データベース１３ｂに登録する処理部である。具体的には、図３に示すように、自店舗（以下、パーラー○○東支店とする。）、他店舗Ａ、他店舗Ｂおよび他店舗Ｃごとの客入状況（営業形態、開店時間、パチンコおよびスロットの客入数（全体および女性）および持箱数）を時間帯（１２時、１４時、１６時、１８時、２０時および２１時）ごとに店舗別客入状況データベース１３ｂに登録する。なお、「持箱数」とは、遊技店に訪れた客が遊技台で遊技することにより獲得した遊技媒体（パチンコ玉またはメダル）を一定量（例えば、パチンコ玉であれば一箱約２０００個、メダルであれば約一箱１０００枚）入れることが可能な箱の数であり、遊技客の遊技媒体の獲得状況あるいは遊技店の出球状況を見る上での目安となる。
【００３７】
店舗別客入状況データベース１３ｂは、店舗別客入状況登録部１３ａを介して店舗別客入状況を記憶する処理部である。具体的には、図３に示すように、パーラー○○東支店、他店舗Ａ、他店舗Ｂおよび他店舗Ｃごとに、客入状況を時間帯ごとに記憶する。
【００３８】
機種別客入状況登録部１４ａは、受信部１１ａによって受信した自店舗および他店舗ごとの機種別客入状況を機種別客入状況データベース１４ｂに登録する処理部である。具体的には、図４に示すように、パーラー○○東支店、他店舗Ａ、他店舗Ｂおよび他店舗Ｃにおける遊技台の機種ごとに、客入状況（各時間帯におけるパチンコ１〜５の客入数（全体および女性）および持箱数）を機種別客入状況データベース１４ｂに登録する。
【００３９】
機種別客入状況データベース１４ｂは、機種別客入状況登録部１４ａを介して機種別客入状況を記憶する処理部である。具体的には、図４に示すように、パーラー○○東支店、他店舗Ａ、他店舗Ｂおよび他店舗Ｃにおける遊技台の機種ごとに客入状況を記憶する。
【００４０】
客入状況集計部１５は、店舗別客入状況データベース１３ｂまたは機種別客入状況データベース１４ｂに基づいて所定の地域における自店舗および他店舗の客入状況を集計する処理部であり、機能概念的に、領域集計部１５ａと、時間集計部１５ｂと、対象別集計部１５ｃとから構成される。
【００４１】
このうち、領域集計部１５ａは、入力部１２ａによって入力された指定領域に基づいて自店舗および他店舗の客入状況を集計する処理部である。例えば、入力部１２ａによってエリアＸを指定領域として入力された場合には、パーラー○○東支店（自店舗）、他店舗Ａ、他店舗Ｂおよび他店舗Ｃの客入数を集計する。
【００４２】
時間集計部１５ｂは、入力部１２ａによって入力された指定期間に基づいて所定時間ごとに自店舗および他店舗の客入状況を集計する処理部である。例えば、２００２年４月１日〜２００２年４月１０日と指定された場合には、４月１日〜４月１０日ごとに客入数を集計する。このように、指定期間に基づいて所定の時間ごとに自店舗および他店舗の客入状況を集計したのは、日または時間帯ごとにおける客入状況の割合の推移を分析することができるようにするためである。
【００４３】
対象別集計部１５ｃは、入力部１２ａによって入力された閲覧情報に応じて自店舗および他店舗の客入状況を集計したり、自店舗および他店舗における遊技台の機種ごとに客入状況を集計したりする。具体的には、入力部１２ａによって店舗別客入状況に基づいて分析される閲覧情報（店舗別客入割合、店舗別客入比較および店舗別客入推移）が選択入力された場合には店舗別の客入数を集計し、入力部１２ａによって機種別客入状況に基づいて分析される閲覧情報（機種別客入割合、機種別客入比較および機種別客入推移）が選択入力された場合には機種別の客入数を集計する。
【００４４】
客入状況分析部１６は、客入状況集計部１５によって集計された自店舗および他店舗の客入状況に基づいて自店舗の客入状況を分析する処理部であり、機能概念的に、店舗別客入割合分析部１６ａと、店舗別客入比較分析部１６ｂと、店舗別客入推移分析部１６ｃと、機種別客入割合分析部１６ｄと、機種別客入比較分析部１６ｅと、機種別客入推移分析部１６ｆとから構成される。
【００４５】
このうち、店舗別客入割合分析部１６ａは、客入状況集計部１５によって集計された自店舗および他店舗の客入状況に対する自店舗の客入状況の割合を分析する処理部である。具体的には、図５に示すように、指定領域（エリアＸ）、指定期間（２００２年４月１日〜２００２年４月１０日）および指定対象（店舗別客入状況）に基づいて客入状況集計部１５によって集計された客入数（例えば、４月１日（月）においては、１０９５人）に対する各遊技店ごとの客入数（パーラー○○東支店（４８０人）、他店舗Ａ（２５０人）、他店舗Ｂ（１１０人）または他店舗Ｃ（２５５人））の割合（シェア）を分析する。
【００４６】
すなわち、エリアＸにおける４月１日のパーラー○○東支店の客入シェア（店舗別客入数の割合）は、４３．８４％、他店舗Ａの客入シェアは、２２．８３％、他店舗Ｂの客入シェアは、１０．０５％、他店舗Ｃの客入シェアは、２３、２９％というように店舗別客入割合を分析する。なお、店舗別客入割合を「客入シェア」に代えて「全台シェア」（エリアＸにおける全遊技台の台数に対する自店舗の客入数の割合）にすることも可能である。
【００４７】
店舗別客入比較分析部１６ｂは、自店舗および他店舗の客入状況を比較して分析する処理部である。具体的には、図６に示すように、指定領域（エリアＸ）、指定期間（２００２年１１月１日〜２００２年１１月１０日）および指定対象（店舗別客入状況）に基づいて自店舗および他店舗の時間帯ごとの客入数を比較して分析する。また、比較の目安として時間帯平均客入数（各時間帯の客入数の平均）および１日平均客入率（遊技台に対する時間帯平均客入数の割合）を分析している。
【００４８】
店舗別客入推移分析部１６ｃは、自店舗および他店舗の客入状況の推移を分析する処理部である。具体的には、図７に示すように、指定領域（エリアＸ）、指定期間（２００２年１１月１日〜２００２年１１月１０日）および指定対象（店舗別客入状況）に基づいて自店舗および他店舗ごとに客入状況の時間帯および日ごとの推移を分析する。
【００４９】
機種別客入割合分析部１６ｄは、自店舗および他店舗における遊技台の機種ごとに自店舗の客入状況の割合を分析する処理部である。具体的には、図８に示すように、指定領域（エリアＸ）、指定期間（２００２年１１月１日〜２００２年１１月１０日）および指定対象（機種別客入状況）に基づいて客入状況集計部１５によって自店舗および他店舗における遊技台の機種ごとに集計された客入数（例えば、機種パチンコ１においては、２１１人）に対する各遊技店における遊技台の機種ごとの客入数（パーラー○○東支店（８０人）、他店舗Ａ（５０人）、他店舗Ｂ（４５人）または他店舗Ｃ（３６人））の割合（シェア）を分析する。
【００５０】
すなわち、エリアＸにおけるパーラー○○東支店の機種パチンコ１のシェア（客入数の割合）は、３７．９１％、他店舗Ａの機種パチンコ１のシェアは、２３．７０％、他店舗Ｂの機種パチンコ１のシェアは、２１．３３％、他店舗Ｃの機種パチンコ１のシェアは、１７．０６％というように機種別客入割合を分析する。このように、各遊技店における遊技台の機種ごとに客入状況を分析するようにしたのは、各遊技店における遊技台の機種ごとの人気を分析することができるようにするためである。
【００５１】
機種別客入比較分析部１６ｅは、自店舗または他店舗における遊技台の機種ごとに客入状況を比較して分析する処理部である。具体的には、図９に示すように、指定領域（エリアＸ）、指定期間（２００２年１１月１日〜２００２年１１月１０日）および指定対象（機種別客入状況）に基づいて自店舗または他店舗における遊技台の機種ごとに時間帯ごとの客入数を比較して分析する。また、比較の目安として時間帯平均客入数（各時間帯の客入数の平均）および１日平均客入率（遊技台の機種に対する時間帯平均客入数の割合）を分析している。
【００５２】
機種別客入推移分析部１６ｆは、自店舗または他店舗における遊技台の機種ごとの客入状況の推移を分析する処理部である。具体的には、図１０に示すように、指定領域（エリアＸ）、指定期間（２００２年１１月１日〜２００２年１１月１０日）および指定対象（機種別客入状況）に基づいて自店舗または他店舗における遊技台の機種ごとの時間帯および日ごとの客入数の推移を分析する。
【００５３】
制御部１７は、各種データの流れを制御する処理部であり、具体的には、店舗別客入状況の登録処理および機種別客入状況の登録処理を制御し、店舗別客入状況データベース１３ａおよび機種別客入状況データベース１４ａからの指定データ（指定領域、指定期間および指定対象などによって特定された客入状況）の検索処理をおこなう。
【００５４】
上述してきたように、本実施の形態に係る客入状況分析装置によれば、地域性を考慮に入れて客入状況を分析するので、営業戦略を立てる上で有用な情報を分析することが可能になる。
【００５５】
また、本実施の形態に係る客入状況分析装置によれば、各遊技店ごとの客入状況は、自店舗および他店舗ごとの客入状況であって、自店舗および他店舗の客入状況を集計し、集計された自店舗および他店舗の客入状況に対する自店舗の客入状況の割合を分析することにより、自店舗を取り巻く競合店の客入状況を考慮に入れて自店舗の客入状況を全体的に分析することができ、自店舗の客入状況を評価する上で有用な情報を分析することが可能になる。
【００５６】
（他の実施の形態）
さて、これまで本発明の実施の形態について説明したが、本発明は上述した実施の形態以外にも、上記特許請求の範囲に記載した技術的思想の範囲内において種々の異なる実施の形態にて実施されてもよいものである。
【００５７】
例えば、本実施の形態では、「エリアＸ」を指定領域として客入状況集計処理および客入状況分析処理をおこなう場合について説明したが、本発明はこれに限定されるものではなく、図１に示す「エリアＶ」〜「エリアＺ」のいずれの領域が指定領域として指定された場合についても同様に適用することができる。
【００５８】
また、本発明では、各遊技店における遊技台の台数に応じて重み付けをおこなって複数の遊技店の客入状況を集計し、各遊技店における遊技台の台数に応じて客入状況の割合を分析する。すなわち、図１１に示すように、全遊技店における遊技台の台数の最小公倍数を各遊技店における遊技台の設置台数で割った値をそれぞれ重み付け（図１１における太枠内の▲１▼、▲２▼、▲４▼、▲２▼であり、それぞれ１倍、２倍、４倍、２倍することを意味する）して各遊技店の客入数を集計し、該重み付けをおこなって集計された客入数（図１１においては、１９００人）に対する各遊技店ごとに重み付けをおこなった客入数の割合を分析することにより（図１１最下欄）、遊技店に設置された遊技台の台数の相違によって判別し難かった他店舗Ｂの高集客率をも分析することができることになり、遊技店ごとの遊技台の設置台数の相違、ひいては遊技店の規模の相違を考慮した分析が可能となる。
【００５９】
また、上述の分析における計算方法は、図８に示した機種別客入割合における分析についても同様に適用することができる。すなわち、比較対象となっている全遊技店の該当遊技機種の台数の最小公倍数を各遊技店における該当遊技機種の台数で割った値をそれぞれ重み付けとして各遊技店の該当遊技機種の客入数を集計し、該重み付けをおこなって集計された客入数に対する各遊技店の重み付けをおこなった該当遊技機種の客入数の割合を分析することにより、各遊技店における遊技機種ごとの設置台数の相違、ひいては遊技店の営業戦略の相違を考慮した分析が可能となる。
【００６０】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００６１】
また、本実施の形態において説明した各処理のうち、自動的におこなわれるものとして説明した処理（例えば、店舗別客入状況登録処理および機種別客入状況登録処理）の全部または一部を手動的におこなうこともできる。さらに、上記文書中や図面中で示した処理手順、制御手順、具体的名称、各種のデータやパラメータを含む情報については、特記する場合を除いて任意に変更することができる。
【００６２】
なお、本実施の形態で説明した客入状況分析方法は、あらかじめ用意されたプログラムで実行することによって実現することもできる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【００６３】
【発明の効果】
以上説明したように、本発明によれば、地域性を考慮に入れて客入状況を分析することができ、営業戦略を立てる上で有用な情報を分析することが可能な客入状況分析装置が得られるという効果を奏する。
【００６４】
また、本発明によれば、遊技店に設置された遊技台の設置台数の相違に関係なく各遊技店ごとの客入状況の割合を分析することができ、遊技店の規模の相違あるいは遊技店の営業戦略の相違を考慮した分析を行うことが可能な客入状況分析装置が得られるという効果を奏する。
【００６５】
また、本発明によれば、日または時間帯ごとにおける客入状況の割合の推移を分析することが可能な客入状況分析装置が得られるという効果を奏する。
【００６６】
また、本発明によれば、各遊技店における遊技台の機種ごとの人気を分析することが可能な客入状況分析装置が得られるという効果を奏する。
【００６７】
また、本発明によれば、自店舗を取り巻く競合店の客入状況を考慮に入れて自店舗の客入状況を全体的に分析することができ、自店舗の客入状況を評価する上で有用な情報を分析することが可能な客入状況分析装置が得られるという効果を奏する。
【００６８】
また、本発明によれば、遊技店のオーナーまたは経営者などの遊技店の経営に携わる者が望む任意の領域の客入状況を分析することが可能な客入状況分析装置が得られるという効果を奏する。
【図面の簡単な説明】
【図１】本実施の形態に係る客入状況分析装置を含んだシステムの構成を示すシステム構成図である。
【図２】本実施の形態に係る客入状況分析装置の構成を示すブロック図である。
【図３】店舗別客入状況の登録を説明するための図である。
【図４】機種別客入状況の登録を説明するための図である。
【図５】出力部に表示される画面の構成を示す図である。
【図６】出力部に表示される画面の構成を示す図である。
【図７】出力部に表示される画面の構成を示す図である。
【図８】出力部に表示される画面の構成を示す図である。
【図９】出力部に表示される画面の構成を示す図である。
【図１０】出力部に表示される画面の構成を示す図である。
【図１１】重付客入数の割合の分析を説明するための概念図である。
【符号の説明】
１  ネットワーク
１１ａ  受信部
１１ｂ  送信部
１２ａ  入力部
１２ｂ  出力部
１３ａ  店舗別客入状況登録部
１３ｂ  店舗別客入状況データベース
１４ａ  機種別客入状況登録部
１４ｂ  機種別客入状況データベース
１５  客入状況集計部
１５ａ  領域集計部
１５ｂ  時間集計部
１５ｃ  対象別集計部
１６  客入状況分析部
１６ａ  店舗別客入割合分析部
１６ｂ  店舗別客入比較分析部
１６ｃ  店舗別客入推移分析部
１６ｄ  機種別客入割合分析部
１６ｅ  機種別客入比較分析部
１６ｆ  機種別客入推移分析部
１７  制御部
２０、３０、４０  端末装置
【図１】
2004290326.tif 000003
【図２】
2004290326.tif 000004
【図３】
2004290326.tif 000005
【図４】
2004290326.tif 000006
【図５】
2004290326.tif 000007
【図６】
2004290326.tif 000008
【図７】
2004290326.tif 000009
【図８】
2004290326.tif 000010
【図９】
2004290326.tif 000011
【図１０】
2004290326.tif 000012
【図１１】
2004290326.tif 000013